(57)【特許請求の範囲】
【請求項１】
再生するソースとなる放送信号を受信するチューナ部と、前記ソースとなる外部からの信号が入力される外部入力部と、リモートコントローラとの通信を行う第１通信部とによって装置本体が構成され、前記装置本体の前記第１通信部との通信を行う第２通信部と、前記装置本体の動作を指定する複数のボタンとによって、前記リモートコントローラが構成される放送信号受信装置であって、
前記リモートコントローラが、複数のボタンの１つとして、前記装置本体で再生される前記ソースの切換を指定する状態切換ボタンを備え、
前記ソースを切り換える順序が設定された第１状態切換テーブルが、前記装置本体又は前記リモートコントローラのいずれかに備えられたメモリに記憶され、
前記状態切換ボタンが操作されたとき、
前記装置本体が前記チューナ部により前記放送信号の受信を行い、前記放送信号を前記ソースとしている場合、前記装置本体で再生される前記ソースとして、前記第１状態切換テーブルで１番目に設定されたソースに切り換えられることを特徴とする放送信号受信装置。
【請求項２】
前記状態切換ボタンが操作されたとき、
前記装置本体が前記外部入力部より入力される外部からの入力信号を前記ソースとしている場合、前記装置本体で再生される前記ソースとして、前記第１状態切換テーブルにおいて現在再生されているソースの次の順番に設定されたソースに切り換えられることを特徴とする請求項１に記載の放送信号受信装置。
【請求項３】
前記ソースを切り換える順序が前記第１状態切換テーブルと異なる設定となる第２状態切換テーブルを前記メモリに記憶され、
前記状態切換ボタンが操作されたとき、
前記装置本体が前記外部入力部より入力される外部からの入力信号を前記ソースとしている場合、前記装置本体で再生される前記ソースとして、前記第２状態切換テーブルで１番目に設定されたソースに切り換えられることを特徴とする請求項１に記載の放送信号受信装置。
【請求項４】
前記ソースを切り換える順序を所望の順序に設定可能な固有リストテーブルが、前記メモリに記憶され、
前記状態切換ボタンが操作されたとき、
前記固有リストテーブルが設定されて前記メモリに記憶されている場合、前記固有リストテーブルに記憶される前記ソースの順序に従って、前記装置本体で再生される前記ソースが切り換えられることを特徴とする請求項１〜請求項３に記載の放送信号受信装置。
【請求項５】
前記状態切換ボタンが連続して操作されたとき、
前記装置本体で再生される前記ソースとして、前記ソースの切換の際に参照することが指定された、前記テーブルにおいて現在再生されているソースの次の順番に設定されたソースに、切り換えられることを特徴とする請求項１〜請求項４のいずれかに記載の放送信号受信装置。
【請求項６】
前記リモコンのボタンに対して、通常と異なる操作が行われたときに、前記装置本体で再生される前記ソースとして、操作されたボタンに割り当てられた前記外部入力部より入力される外部からの入力信号に切り換えることを特徴とする請求項１〜請求項５のいずれかに記載の放送信号受信装置。
【発明の詳細な説明】
【技術分野】
【０００１】
本発明は、遠隔操作を行うためのリモートコントローラを備える放送信号受信装置に関するもので、特に、外部からの画像信号や音声信号が入力される外部入力を備えた放送信号受信装置に関する。
【背景技術】
【０００２】
現在、デジタル処理技術や圧縮符号化技術や放送通信技術の発展に伴い、デジタルテレビ放送通信が実現されている。このデジタルテレビ放送通信は、まず、ＢＳ（Broadcasting Satellite）放送やＣＳ（Communication Satellite）放送などの衛星放送に対して実用された後、地上波放送に対しても実現している。そして、地上波放送においては、現行では、２０１１年のデジタル放送への完全移行に向けて、同一の内容となるアナログ放送通信及びデジタル放送通信が行われている。
【０００３】
このように、地上波放送及び衛星放送だけでなく、デジタル放送及びアナログ放送というように、複数種類の通信形態によってテレビ放送が送信されている。これに対して、この複数種類の通信形態による各テレビ放送全てを受信可能とするために、それぞれの通信形態に応じたチューナを備えた放送信号受信装置（テレビジョン受信装置）が提供されている（特許文献１参照）。
【０００４】
又、放送信号受信装置には、ビデオやＤＶＤなどといった再生装置から、コンテンツを構成する画像及び音声信号が入力されるために、外部入力機能を備えられている。この外部入力機能として、従来のＲＣＡ端子やＳ端子を利用したビデオ入力などの外部入力以外に、デジタル放送の入力端子として利用されるＤ端子などによる外部入力や、近年において広く普及されているＰＣを始めとするデジタル家電との接続に利用されるＨＤＭＩ（High-Definition Multimedia Interface）端子やＤ−ＳＵＢ端子などによる外部入力などがあり、多種多様化している。
【０００５】
更に、このような放送信号受信装置には、ユーザーにより直接操作される入力ボタンを備えるだけでなく、遠隔操作を行うためのリモートコントローラ（以下、「リモコン」と呼ぶ）によるリモートコントロールシステムを備えている。現在、放送信号受信装置として、地上波デジタル放送、地上波アナログ放送、及び、衛星放送それぞれを受信することができるものが、提供されている。このような放送信号受信装置におけるリモートコントロールシステムに利用されるリモコンは、図１０の外観図に示すように、チャンネル指定するためのボタン１０１や、音量やチャンネル変更を行うためのボタン１０２以外に、受信する放送を指定するための放送指定ボタン１０３ａ〜１０３ｄを備える。
【０００６】
即ち、放送指定ボタン１０３ａをユーザーが押下することにより、放送信号受信装置に対して地上波アナログ放送を受信することが指定され、又、放送指定ボタン１０３ｂをユーザーが押下することにより、放送信号受信装置に対して地上波デジタル放送を受信することが指定される。そして、放送指定ボタン１０３ｃをユーザーが押下することにより、放送信号受信装置に対してＢＳ放送を受信することが指定され、又、放送指定ボタン１０３ｄをユーザーが押下することにより、放送信号受信装置に対してＣＳ放送を受信することが指定される。
【０００７】
更に、この放送信号受信装置は、各放送信号の受信だけでなく、複数の外部入力が成されるため、リモコンによって、放送信号を受信する放送信号受信状態だけでなく、外部入力を受信する外部入力受信状態を指定する必要がある。そのため、図１０に示すリモコンが、放送信号受信状態と外部入力状態とを切り換えることを指定するボタンとして、状態切換ボタン１０４を備える。
【０００８】
よって、状態切換ボタン１０４を押下するたびに、放送信号受信装置の動作を、各種放送信号の受信、及び、各種外部入力それぞれに、順番に切り換えることができる。即ち、状態切換ボタン１０４を押下するたびに、放送信号受信装置に対して、例えば、地上波デジタル放送の受信、地上波アナログ放送の受信、ＢＳ放送の受信、ＣＳ放送の受信、ビデオ入力、ＤＶＤ入力、ＨＤＭＩ入力、及び、ＰＣ入力のそれぞれを、順番に指定することができる。
【特許文献１】特開２００７−１９４７８２号公報
【発明の開示】
【発明が解決しようとする課題】
【０００９】
しかしながら、図１０に示す構成のリモコンによる従来のリモートコントロールシステムでは、受信する放送信号を変更する場合は、放送指定ボタン１０３ａ〜１０３ｄのいずれかを一度押下するだけで切り換えることができるが、外部入力を指定する場合、現在の動作状態によっては、状態切換ボタン１０４を何度も押下する場合がある。即ち、状態切換ボタン１０４によって動作状態を切り換えるとき、予め設定された切換順位に基づいて動作状態が切り替わる。そのため、現在の動作状態の次の順位となる動作状態に切り替わったとき、場合によっては、別の放送信号の受信状態に切り替わることとなり、外部入力に切り換えるまで、状態切換ボタン１０４を更に押下する必要がある。
【００１０】
これにより、上述のように、受信する放送信号を変更する場合は、放送指定ボタン１０３ａ〜１０３ｄのような特定のボタンがあるため、リモコンを利用した切換動作に煩雑さを感じないが、放送信号の受信状態から外部入力状態に切り換えるときは、場合によって状態切換ボタン１０４の押下回数が多く、切換動作が煩雑なものとなる。又、状態切換ボタン１０４の押下回数を低減するために、外部入力を指定するために別にボタンを設けることも可能である。しかしながら、押しやすいボタンの大きさや数などを考慮に入れた場合、ボタンの設置面積が広くなってしまい、その結果、リモコンが大きくなってしまう。
【００１１】
このような問題を鑑みて、本発明は、リモコンのボタン数を増加させることなく、簡単に所望の動作状態をリモコン操作によって指定することができる放送信号受信装置を提供することを目的とする。
【課題を解決するための手段】
【００１２】
上記目的を達成するために、本発明の放送信号受信装置は、再生するソースとなる放送信号を受信するチューナ部と、前記ソースとなる外部からの信号が入力される外部入力部と、リモートコントローラとの通信を行う第１通信部とによって装置本体が構成され、前記装置本体の前記第１通信部との通信を行う第２通信部と、前記装置本体の動作を指定する複数のボタンとによって、前記リモートコントローラが構成される放送信号受信装置であって、前記リモートコントローラが、複数のボタンの１つとして、前記装置本体で再生される前記ソースの切換を指定する状態切換ボタンを備え、前記ソースを切り換える順序が設定された第１状態切換テーブルが、前記装置本体又は前記リモートコントローラのいずれかに備えられたメモリに記憶され、前記状態切換ボタンが操作されたとき、前記装置本体が前記チューナ部により前記放送信号の受信を行い、前記放送信号を前記ソースとしている場合、前記装置本体で再生される前記ソースとして、前記第１状態切換テーブルで１番目に設定されたソースに切り換えられることを特徴とする。
【００１３】
そして、前記状態切換ボタンが操作されたときに、前記装置本体が前記外部入力部より入力される外部からの入力信号を前記ソースとしている場合、前記装置本体で再生される前記ソースとして、前記第１状態切換テーブルにおいて現在再生されているソースの次の順番に設定されたソースに切り換えられるものとしても構わない。
【００１４】
又、前記ソースを切り換える順序が前記第１状態切換テーブルと異なる設定となる第２状態切換テーブルが前記メモリに記憶され、前記状態切換ボタンが操作されたときに、前記装置本体が前記外部入力部より入力される外部からの入力信号を前記ソースとしている場合、前記装置本体で再生される前記ソースとして、前記第２状態切換テーブルで１番目に設定されたソースに切り換えられるものとしても構わない。
【００１５】
前記装置本体が、前記外部入力部を複数備えるとともに、前記第１状態切換テーブルが、前記ソースとして入力される前記外部入力部の順番を記憶するものであるものとしても構わない。更に、前記装置本体が、前記チューナを複数備え、前記第１状態切換テーブルが、前記外部入力部の後に前記ソースとして放送信号を受信する前記チューナの順番を追加して記憶するものとしても構わない。
【００１６】
前記ソースを切り換える順序を所望の順序に設定可能な固有リストテーブルが、前記メモリに記憶され、前記状態切換ボタンが操作されたとき、前記固有リストテーブルが設定されて前記メモリに記憶されている場合、前記固有リストテーブルに記憶される前記ソースの順序に従って、前記装置本体で再生される前記ソースが切り換えられるものとしても構わない。
【００１７】
前記固有リストテーブルを参照して前記ソースの切換を行うとき、前記装置本体が選択している前記ソースが前記固有リストテーブルに記憶されていない場合、前記装置本体で再生される前記ソースとして、前記固有リストテーブルで１番目に設定されたソースに切り換えられ、前記装置本体が選択している前記ソースが前記固有リストテーブルに記憶されている場合、前記装置本体で再生される前記ソースとして、前記固有リストテーブルにおいて現在再生されているソースの次の順番に設定されたソースに切り換えられる。
【００１８】
又、前記状態切換ボタンが連続して操作されたとき、前記装置本体で再生される前記ソースとして、前記ソースの切換の際に参照することが指定された、前記テーブルにおいて現在再生されているソースの次の順番に設定されたソースに、切り換えられるものとしても構わない。このとき、タイマーにより前記状態切換ボタンを操作されてからの時間を計測して、前記状態切換ボタンが制限時間内に再度操作されたことを確認したときに、連続して操作されたものと判断するものとしても構わない。
【００１９】
又、前記リモコンのボタンに対して、通常と異なる操作が行われたときに、前記装置本体で再生される前記ソースとして、操作されたボタンに割り当てられた前記外部入力部より入力される外部からの入力信号に切り換えるものとしても構わない。
【発明の効果】
【００２０】
本発明によると、装置本体において、チューナで受信している放送信号をソースとして再生しているときに、リモコンによる特定の操作によって、優先的に外部入力された信号をソースとして再生するように切り換えることができる。よって、従来のボタン配置となるリモコンに更にボタンを追加することなく、所望の動作状態を行うことができるだけでなく、そのボタン数が増えることを防ぐことができ、リモコンの大型化を防ぐこともできる。
【発明を実施するための最良の形態】
【００２１】
本発明の実施の形態について、図面を参照して以下に説明する。尚、以下の実施形態においては、ＣＲＴ（Cathode Ray Tube）やＬＣＤ（Liquid Crystal Display）やＰＤＰ（plasma display panel）などの、放送信号の映像を表示する画像表示部を備えたテレビジョン放送再生装置を、例に挙げて説明する。しかしながら、このテレビジョン放送再生装置以外の、放送信号を受信するチューナを備えるとともに画像信号及び音声信号が外部入力される放送信号受信装置であれば、ＶＣＲ（Video Cassette Recorder）やＤＶＤ（Digital Versatile Disc）といった記録メディアへの記録再生装置や画像表示装置に接続されるチューナ装置であっても構わない。
【００２２】
（放送信号受信装置の構成）
まず、放送信号受信装置の構成について、図面を参照して説明する。図１は、本実施形態の放送信号受信装置を含む装置構成を示すブロック図であり、図２は、図１における放送信号受信装置の内部構成を示すブロック図であり、図３は、図１における放送信号受信装置に付属されたリモコンの内部構成を示すブロック図である。又、図３に示す内部構成となるリモコンの外観は、従来のリモコンと同様、図１０に示すような構成となるものとする。
【００２３】
１．放送信号受信装置の接続関係
図１に示すように、本実施形態の放送信号受信装置は、放送信号を受信するとともに再生を行う放送信号受信装置の本体１（以下、単に「本体１」と呼ぶ）と、赤外線通信などの無線通信により本体１と通信を行うことで遠隔操作を行うリモコン２と、本体１に対して画像信号及び音声信号を送信する記録メディアの記録再生装置やチューナ装置やＰＣなどの電子機器３と、を備える。このように構成されるとき、電子機器３と本体１との間は、ケーブル又は無線によって通信接続されて、電子機器３からの画像及び音声信号が本体１に送信される。尚、以下では、ケーブルによって電子機器３と本体１とが接続されるものを例に挙げて説明するが、上述したように、ＩＥＥＥ８０２．１１シリーズによる無線ＬＡＮやＢｌｕｅｔｏｏｔｈなどによる無線接続も可能である。
【００２４】
図１に示す接続関係となるとき、例えば、電子機器３は、本体１におけるＲＣＡ端子、Ｓ端子、Ｄ端子、ＨＤＭＩ端子、Ｄ−ＳＵＢ端子などに接続されることで、電子機器３からの画像及び音声信号が本体１に送信される。この電子機器３からの画像及び音声信号が、本体１において、外部入力として扱われて、電子機器３からの画像及び音声信号による画像及び音声が再生される。そして、リモコン２が操作されると、その操作により指定された指示動作が、赤外線信号として、リモコン２から本体１に送信される。リモコン２からの赤外線信号を受信した本体１では、赤外線信号に基づいてユーザーからの指示動作が確認され、確認された指示動作が成される。
【００２５】
２．放送信号受信装置本体の構成
次に、図１に示す放送信号受信装置の本体１の構成について、図２のブロック図を参照して説明する。
【００２６】
図２に示す放送信号受信装置の本体１は、地上波アナログ放送、地上波デジタル放送、ＢＳ放送、及びＣＳ放送それぞれの放送信号を選局するとともに復調するチューナ１１ａ〜１１ｄと、チューナ１１ａ〜１１ｄで復調されて取得した放送信号を復号化するデコーダ１２と、デコーダ１２で復号化して得られた画像信号に対して各種画像処理を施す画像処理部１３と、デコーダ１２で復号化して得られた音声信号に演算処理を施してアナログ信号に変換する音声出力部１４と、画像処理部１３で処理された画像信号による画像の拡大又は縮小を行うスケーラー部１５と、スケーラー部１５からの画像信号が与えられて画像表示を行う画像表示部１６と、音声出力部１４からの音信号が与えられて音声出力を行うスピーカ部１７と、電子機器３と接続された外部入力端子１８ａ〜１８ｄと、外部入力端子１８ａ〜１８ｄとの接続を選択する入力セレクタ１９と、赤外線信号の送受信を行うことでリモコン２と通信を行う赤外線通信部２０と、ユーザーによって直接入力される操作部２１と、現在時刻や各動作の制限時間を計測するためのタイマー２２と、装置内全体の駆動動作を制御するＣＰＵ（Central Processing Unit）２３と、各動作のための各プログラムを記憶するとともにプログラム実行時のデータの一時保管を行うメモリ２４と、各ブロックとの間でデータのやりとりを行うためのバス回線２５と、を備える。
【００２７】
このように本体１が構成される放送信号受信装置によると、地上波アンテナ放送の受信を行うことが指示されたとき、チューナ１１ａが動作して、指定されたチャンネルの放送信号が選局される。そして、チューナ１１ａで選局された放送信号が復調されると、復調された放送信号がデコーダ１２に与えられて復号化され、画像信号及び音声信号に変換される。尚、地上波デジタル放送の受信が指示されると、チューナ１１ｂが動作し、ＢＳ放送の受信が指示されると、チューナ１１ｃが動作し、ＣＳ放送の受信が指示されると、チューナ１１ｄが動作する。
【００２８】
このとき、チューナ１１ａ〜１１ｄは、それぞれの放送系統に応じた選局動作及び復調動作を行い、又、デコーダ１２においては、各放送系統に応じた復号化動作が行われる。尚、デコーダ１２での復号化動作については、メモリ２３に記憶されて、指定された放送系統の復号化動作が読み出されてデコーダ１２に与えられることで、指定された復号化動作が行われる。
【００２９】
デコーダ１２で得られた画像信号は、画像処理部１３に与えられると、例えば、インターレース方式の画像信号が入力された場合は、補間処理を行われることで、プログレッシブ方式の画像信号に変換される。このような各種画像処理が成された後、画像処理部１３では更に、得られた画像信号に基づいて輝度信号及び色差信号を生成した後、画像表示部１６の色画素に応じた画素値となる色信号の生成を行う。即ち、輝度信号及び色差信号に基づいて、画像処理部１３のＲＧＢによる色画素の配列に応じた画素値による色信号を生成し、この色信号を画像信号としてスケーラー部１５に出力する。
【００３０】
スケーラー部１５では、画像処理部１３で処理されて得られた画像信号に対して、画像表示部１６に表示される画像の大きさに応じて、画像信号による画像の拡大・縮小が成される。画像の拡大が成されるときは、画像処理部１３からの画像信号に対して、色信号毎の補間処理が成され、又、画像の縮小が成されるときは、画像処理部１３からの画像信号に対して、色信号毎の間引処理が成される。そして、スケーラー部１５で拡大又は縮小された画像信号が、画像表示部１６に与えられると、画像信号に基づく画像が再生出力される。尚、拡大及び縮小に必要がない場合は、画像処理部１３からの画像信号をそのまま画像表示部１６に与える。
【００３１】
デコーダ１２で得られた音声信号は、音声出力部１４に与えられると、スピーカ部１７で出力するためのアナログ信号に変換する。これにより、音声出力部１４で得られた音声信号がスピーカ部１７に与えられると、この音声信号に基づく音声が再生出力されることとなる。よって、画像表示部１６で再生表示される画像に応じたシーンの音声が、スピーカ部１７より再生出力されることとなる。
【００３２】
又、外部入力端子１８ａ〜１８ｄはそれぞれ、ＲＣＡ端子、Ｓ端子、Ｄ端子、ＨＤＭＩ端子、Ｄ−ＳＵＢ端子のいずれかで構成される。このとき、ＲＣＡ端子で構成される外部入力端子には画像信号と音声信号とを別ケーブルで送信する電子機器３が接続され、Ｓ端子で構成される外部入力端子にはコンポジット映像信号を１つのケーブルで送信する電子機器３が接続され、Ｄ端子で構成される外部入力端子にはコンポーネント映像信号を１つのケーブルで送信する電子機器３が接続される。又、ＨＤＭＩ端子で構成される外部入力端子には、デジタル家電などの電子機器３が接続され、Ｄ−ＳＵＢ端子で構成される外部入力端子には、ＰＣなどの電子機器３が接続される。
【００３３】
このような外部入力端子１８ａ〜１８ｄに電子機器３からの画像及び音声信号が入力されると、入力セレクタ１９を通じて、画像信号が画像処理部１３に与えられ、音声信号が音声出力部１４に与えられる。即ち、入力セレクタ１９によって、画像及び音声信号が入力される外部入力端子１８ａ〜１８ｄの１つが選択されて、選択された外部入力端子に入力される電子機器３からの画像及び音声信号が、画像処理部１３及び音声出力部１４に与えられることとなる。そして、画像処理部１３、音声出力部１４、及びスケーラー部１５それぞれが上述と同様の動作を行うことで、電子機器３で再生されるコンテンツの画像及び音声が、画像表示部１６及びスピーカ部１７で再生出力される。
【００３４】
更に、赤外線通信部２０は、リモコン２と赤外線通信により通信接続が成される。即ち、リモコン２からの赤外線信号となる光を受光すると、受光した光を電気信号に変換し、変換された電気信号を復調するとともに復号化することによって、リモコン２からの指示内容を確認する。又、リモコン２からの赤外線信号の指示内容を確認したことを示すＡＣＫ信号や、通信エラーを示すエラー信号などを生成すると、赤外線通信部２０によって、生成したＡＣＫ信号やエラー信号を符号化した後に変調し、赤外線信号として光を発光してリモコン２に送信する。
【００３５】
３．リモコンの構成
次に、図１に示す放送信号受信装置の本体１の遠隔操作を行うリモコン２の構成について、図３のブロック図を参照して説明する。
【００３６】
図３に示すリモコン２は、各操作ボタンによる操作部２０１と、赤外線信号の送受信を行うことで本体１と通信を行う赤外線通信部２０２と、時間を計測するためのタイマー２０３と、現在時刻や本体１の動作状態を画像表示するＬＣＤによる画像表示部２０４と、リモコン２内全体の駆動動作を制御するＣＰＵ２０５と、各動作のための各プログラムを記憶するとともにプログラム実行時のデータの一時保管を行うメモリ２０６と、各ブロックとの間でデータのやりとりを行うためのバス回線２０７と、を備える。
【００３７】
このように構成されるリモコン２の外観は、従来のものと同様、図１０のように構成される。即ち、操作部２０１として、チャンネル指定するボタン１０１と、音量やチャンネル変更を行うためのボタン１０２と、受信する放送を指定するための放送指定ボタン１０３ａ〜１０３ｄと、再生するソースを切り換えることで放送信号受信状態と外部入力状態とを切り換える状態切換ボタン１０４と、本体１の電源ＯＮ／ＯＦＦを指定する電源ボタン１０５と、機能設定などを行うために本体１の画像表示部１６上のＧＵＩ（Graphical User Interface）表示におけるポインタを移動させる矢印ボタン１０６と、画像表示部１６上のＧＵＩ表示におけるポインタ位置の機能を決定するための決定ボタン１０７と、を備える。
【００３８】
このとき、ボタン１０１によって数字が指定されることによって、又は、ボタン１０２によってチャンネルを順番に切り換えることによって、ユーザーが所望するチャンネル数を指定することができる。又、ボタン１０２を押下する回数によって、本体１のスピーカ部１７で出力する音声の音量を調整することができる。更に、ボタン１０１は、数字だけでなく文字などをも割り当てるものとすることで、本体１の画像表示部１６上やリモコン２の画像表示部２０４上のＧＵＩ表示に対する文字入力も可能となる。
【００３９】
又、放送指定ボタン１０３ａにより、放送信号受信装置に対して地上波アナログ放送を受信することが指定され、放送指定ボタン１０３ｂにより、放送信号受信装置に対して地上波デジタル放送を受信することが指定され、放送指定ボタン１０３ｃにより、放送信号受信装置に対してＢＳ放送を受信することが指定され、放送指定ボタン１０３ｄにより、放送信号受信装置に対してＣＳ放送を受信することが指定される。更に、状態切換ボタン１０４によって、本体１で再生するソースを切り換えること、即ち、再生出力する信号として、複数の放送信号又は電子機器３からの信号が切り換えることが、指示される。
【００４０】
この図１０に示す操作部２０１の各ボタンにより指定された内容は、赤外線通信部２０２に与えられて、符号化した後に変調される。その後、赤外線通信部２０２では、本体１の赤外線通信部２０と同様、変調後の信号に基づいて発光することで、赤外線信号を本体１に送信する。又、本体１からの赤外線信号となる光を受光すると、受光した光を電気信号に変換し、変換された電気信号を復調するとともに復号化することによって、本体１からのＡＣＫ信号やエラー信号を確認する。
【００４１】
又、画像表示部２０４では、操作部２０１によって入力された内容や、タイマー２０３によって計測された現在時刻や、本体１と赤外線通信を行ったときにエラーが検出されたときのエラー内容などが、画像として表示される。更に、タイマー２０３では、現在時刻が確認されるだけではなく、赤外線通信時において本体１からの赤外線信号受信を行う制限時間の計測などが行われる。
【００４２】
上述した本体１及びリモコン２の構成及び動作は、以下に説明する各実施例において共通の構成及び動作となる。又、本実施形態の放送信号受信装置では、リモコン２の操作部２０１における状態切換ボタン１０４が押下されて、本体１で再生するソースの切換を行う際、設定された順番によって切換が成される。そして、このリモコン２における状態切換ボタン１０４が押下されたときの動作、及び、本体１で切り換えられるソース切換の順番に対する設定方法について、以下の各実施例で詳細に説明する。
【実施例１】
【００４３】
本実施例においては、放送信号受信装置の本体１が放送信号をソースとして再生動作が行われている場合と、放送信号受信装置の本体１が電子機器３からの信号をソースとして再生動作が行われている場合とで、状態切換ボタン１０４が押下されて切り換えられるソースの順番を異なる。以下においては、リモコン２の状態切換ボタン１０４が押下されたときにおける、ソースの切換動作について、図４に示すフローチャートを参照して説明する。
【００４４】
本実施例において、再生するソースの切り換える順序が、（１）外部入力端子１８ａからの外部入力１→（２）外部入力端子１８ｂからの外部入力２→（３）外部入力端子１８ｃからの外部入力３→（４）外部入力端子１８ｄからの外部入力４とされるものとする。そして、この再生するソースの切り換える順序を示す状態切換テーブルが、リモコン２のメモリ２０６に記憶される。
【００４５】
リモコン２において、電源ボタン１０４が押下されて本体１の電源をＯＮとすることが指示されると（ＳＴＥＰ１）、赤外線通信部２０２において、電源ＯＮを指示する赤外線信号が生成されて、本体１へ送信される。よって、この赤外線信号を赤外線通信部２０で受信した本体１が電源ＯＮとなり、メモリ２４に記憶していた動作状態を確認することで、前回に電源ＯＦＦとされたときに再生していたソースを確認する。
【００４６】
そして、メモリ２４に記憶していた動作状態より確認されたソースによる画像及び音声が、画像表示部１６及びスピーカ部１７で再生出力される。即ち、前回に電源ＯＦＦとされたときにチューナ１１ａによる地上波アナログ放送の受信が行われていたとき、メモリ２４において、チューナ１１ａによる地上波アナログ放送の受信を行っていることが記憶される。よって、リモコン２を通じて電源ＯＮが指示されると、メモリ２４に記憶された動作状態より、チューナ１１ａによる地上波アナログ放送の受信を行っていたことを確認し、チューナ１１ａによる地上波アナログ放送の受信を開始する。
【００４７】
このようにして、本体１がメモリ２４に記憶した動作状態に基づく再生動作を開始すると、このメモリ２４に記憶していた動作状態、即ち、再生するソースの内容を示す赤外線信号を、赤外線通信部２０で生成して、リモコン２に送信する。リモコン２は、この本体１からの赤外線信号を赤外線通信部２０２で受信すると（ＳＴＥＰ２）、受信した赤外線信号より本体１が再生しているソースを認識し、現在の動作状態としてメモリ２０６に記憶する（ＳＴＥＰ３）。
【００４８】
その後、リモコン２において状態切換ボタン１０４が押下されたか否かの判定を行い（ＳＴＥＰ４）、状態切換ボタン１０４が押下されると（Ｙｅｓ）、メモリ２０６に記憶された本体１の現在の動作状態を読み出して、本体１が現在再生しているソースを確認する（ＳＴＥＰ５）。そして、メモリ２０６より読み出した本体１の現在の動作状態を確認することで、本体１が放送信号の受信動作を行っているか否かを判定する（ＳＴＥＰ６）。
【００４９】
このとき、本体１が放送信号の受信動作を行っていることを確認すると（ＳＴＥＰ６でＹｅｓ）、メモリ２０６の状態切換テーブルを確認し、その順位が１番目となるソースによる再生動作を指示するための赤外線信号を、赤外線通信部２０２で生成して、本体１に送信する（ＳＴＥＰ７）。即ち、本例の場合、外部入力１による再生動作を指示するための赤外線信号が本体１に送信される。そして、この赤外線信号を赤外線通信部２０で受信した本体１では、入力セレクタ１９によって、外部入力端子１８ａからの画像及び音声信号が画像処理部１３及び音声出力部１４に与えられるように、動作設定が行われる。
【００５０】
又、本体１が外部入力１〜４のソースによる再生動作を行っていることを確認すると（ＳＴＥＰ６でＮｏ）、メモリ２０６の状態切換テーブルを確認し、現在再生されているソースの次の順位となるソースによる再生動作を指示するための赤外線信号を、赤外線通信部２０２で生成して、本体１に送信する（ＳＴＥＰ８）。即ち、本体１が外部入力１による再生動作を行っていることを確認した場合、次の順位となる外部入力２による再生動作を指示するための赤外線信号が本体１に送信される。そして、この赤外線信号を赤外線通信部２０で受信した本体１では、入力セレクタ１９によって、外部入力端子１８ｂからの画像及び音声信号が画像処理部１３及び音声出力部１４に与えられるように、動作設定が行われる。
【００５１】
このようにして、本体１の動作状態が切り換わると、本体１では、切り換えた後のソースを含む現在の動作状態をメモリ２４に記憶するとともに、この動作状態を示す赤外線信号を赤外線通信部２０で生成して、リモコン２に送信する。よって、リモコン２では、電源ボタン１０４が押下されたときと同様、この本体１からの赤外線信号を赤外線通信部２０２で受信した後（ＳＴＥＰ２）、受信した赤外線信号より本体１が再生しているソースを認識し、現在の動作状態としてメモリ２０６に記憶する（ＳＴＥＰ３）。
【００５２】
このように、本実施例では、状態切換ボタン１０４が押下されることで、本体１で再生するソースを、外部入力端子１８ａ〜１８ｄに接続された電子機器３からの画像及び音声信号から選択することができる。又、チューナ１１ａ〜１１ｄで受信される放送信号を、ソースとして再生する場合は、放送指定ボタン１０３ａ〜１０３ｄを押下することによって指定することができる。
【実施例２】
【００５３】
本実施例は、上述の実施例１と異なり、リモコン２において本体１の動作状態の記憶を行うことがなく、リモコン２の状態切換ボタン１０４が押下されたときのソースの切換動作が、本体１において行われる。そして、本例では、再生するソースの切り換える順序を示す状態切換テーブルが、本体１のメモリ２４に記憶される。以下において、リモコン２の状態切換ボタン１０４が押下されたときにおける、ソースの切換動作について、図５に示すフローチャートを参照して説明する。
【００５４】
リモコン２において、電源ボタン１０４が押下されることで、赤外線通信部２０２より電源ＯＮとする赤外線信号が送信されると、本体１では、赤外線通信部２０において、この電源ＯＮとする赤外線信号を受信する（ＳＴＥＰ１１）。そして、本体１が電源ＯＮとなると（ＳＴＥＰ１２）、メモリ２４に記憶していた動作状態を読み出して、前回に電源ＯＦＦとされたときに再生していたソースを確認する（ＳＴＥＰ１３）。これにより、実施例１と同様、本体１では、メモリ２４に記憶していた動作状態より確認されたソースによる画像及び音声が、画像表示部１６及びスピーカ部１７で再生出力される（ＳＴＥＰ１４）。
【００５５】
その後、状態切換ボタン１０４が押下されることで生成されたソースの切換を指定する赤外線信号が、リモコン２から送信されたか否かの判定を行い（ＳＴＥＰ１５）、このソースの切換を指定する赤外線信号を赤外線通信部２０で受信すると（Ｙｅｓ）、メモリ２４に記憶された現在の動作状態を読み出して、現在再生しているソースを確認する（ＳＴＥＰ１６）。そして、メモリ２４より読み出した本体１の現在の動作状態を確認することで、本体１が放送信号の受信動作を行っているか否かを判定する（ＳＴＥＰ１７）。
【００５６】
このとき、チューナ１１ａ〜１１ｄのいずれかによって放送信号の受信動作を行っていることを確認すると（ＳＴＥＰ１７でＹｅｓ）、メモリ２４の状態切換テーブルを確認し、その順位が１番目となるソースによる再生動作を開始する（ＳＴＥＰ１８）。即ち、本例の場合、外部入力１による再生動作を開始するため、外部入力端子１８ａからの画像及び音声信号が画像処理部１３及び音声出力部１４に与えられるように、動作設定が行われる。
【００５７】
又、外部入力１〜４のいずれかのソースによる再生動作を行っていることを確認すると（ＳＴＥＰ１７でＮｏ）、メモリ２０６の状態切換テーブルを確認し、現在再生されているソースの次の順位となるソースによる再生動作を開始する（ＳＴＥＰ１９）。即ち、外部入力１による再生動作を行っていることを確認した場合、次の順位となる外部入力２による再生動作を開始する。そのため、入力セレクタ１９によって、外部入力端子１８ｂからの画像及び音声信号が画像処理部１３及び音声出力部１４に与えられるように、動作設定が行われる。
【００５８】
ＳＴＥＰ１７及びＳＴＥＰ１８のように動作して、本体１の動作状態が切り替わると、切り換えた後のソースを含む現在の動作状態をメモリ２４に記憶する（ＳＴＥＰ２０）。その後、ＳＴＥＰ１５に移行して、再び、状態切換ボタン１０４が押下されることで生成されたソースの切換を指定する赤外線信号が、リモコン２から送信されたか否かの判定を行う。
【００５９】
このように、本実施例においても、本実施例１と同様、リモコン２において、状態切換ボタン１０４が押下されることで、本体１で再生するソースを、外部入力端子１８ａ〜１８ｄに接続された電子機器３からの画像及び音声信号から選択することができる。又、チューナ１１ａ〜１１ｄで受信される放送信号を、ソースとして再生する場合は、リモコン２の放送指定ボタン１０３ａ〜１０３ｄを押下することによって指定することができる。
【実施例３】
【００６０】
本実施例においては、実施例１，２と異なり、状態切換テーブルによって切り換えられるソースが、外部入力だけでなく、チューナで受信される放送信号も含まれる。以下では、本例でのソースの切換動作について、実施例１と同様、リモコン２において、本体で再生を行うために切り換えるソースの指定を行うものとして、図６に示すフローチャートを参照して説明する。尚、図６に示すフローチャートにおける動作ステップにおいて、図４に示すフローチャートにおける動作ステップと同一のものについては、同一の符号を付して、その詳細な説明は省略する。
【００６１】
まず、本実施例において、再生するソースの切り換える順序が、（１）外部入力端子１８ａからの外部入力１→（２）外部入力端子１８ｂからの外部入力２→（３）外部入力端子１８ｃからの外部入力３→（４）外部入力端子１８ｄからの外部入力４→（５）チューナ１１ａによる地上波アナログ放送→（６）チューナ１１ｂによる地上波デジタル放送→（７）チューナ１１ｃによるＢＳ放送→（８）チューナ１１ｄによるＣＳ放送とされるものとする。そして、この再生するソースの切り換える順序を示す状態切換テーブルが、リモコン２のメモリ２０６に記憶される。
【００６２】
実施例１と同様、電源ボタン１０４が押下されて本体１の電源ＯＮが指定されると（ＳＴＥＰ１）、本体１では、前回に電源ＯＦＦとされたときの動作状態より確認されたソースによる画像及び音声が、画像表示部１６及びスピーカ部１７で再生出力される。そして、再生するソースの内容を示す赤外線信号が本体１より送信され、リモコン２の赤外線通信部２０２で受信すると（ＳＴＥＰ２）、現在の動作状態としてメモリ２０６に記憶する（ＳＴＥＰ３）。その後、リモコン２において状態切換ボタン１０４が押下されたか否かの判定を行う（ＳＴＥＰ４）。
【００６３】
このとき、状態切換ボタン１０４が押下されたことを確認すると（ＳＴＥＰ４でＹｅｓ）、本体１が現在再生しているソースを確認した後（ＳＴＥＰ５）、タイマー２０３で計測された時間より、前回に状態切換ボタン１０４が押下されてからの時間が、制限時間内であるか否かが確認される（ＳＴＥＰ２１）。そして、前回に状態切換ボタン１０４が押下されてからの時間が、制限時間を超える場合は（ＳＴＥＰ２１でＮｏ）、実施例１と同様、ＳＴＥＰ６〜８の動作を行うことで、次に切り換えるソースを指定する赤外線信号を本体１に送信する。
【００６４】
又、前回に状態切換ボタン１０４が押下されてからの時間が、制限時間以内となる場合は（ＳＴＥＰ２１でＹｅｓ）、ＳＴＥＰ８に移行して、現在再生されているソースの次の順位となるソースによる再生動作を指示するための赤外線信号を、本体１に送信する。
【００６５】
そして、ＳＴＥＰ７又はＳＴＥＰ８において、本体１で再生するソースの切換動作を指示する赤外線信号を、赤外線通信部２０２で生成して送信すると、ＳＴＥＰ２１で制限時間を計測するために、タイマー２０３を初期化するとともに、タイマー２０３での時間計測を開始する（ＳＴＥＰ２２）。その後、実施例１と同様、本体１からの赤外線信号を赤外線通信部２０２で受信した後（ＳＴＥＰ２）、受信した赤外線信号より本体１が再生しているソースを現在の動作状態としてメモリ２０６に記憶する（ＳＴＥＰ３）。
【００６６】
このように動作することで、本実施例では、実施例１と異なり、状態切換ボタン１０４を連続して押下することで、チューナ１１ａ〜１１ｄで受信される放送信号を、本体１で再生するソースとして指定することができる。又、本実施例では、リモコン２で切り換えるソースを確認して、本体１に指定するものとしたが、実施例２と同様、本体１で切り換えるソースを確認するものとしても構わない。
【００６７】
そして、実施例２と同様、本体１で切り換えるソースを確認するものとするとき、本実施例における状態切換テーブルが、本体１のメモリ２４に記憶されるとともに、状態切換ボタン１０４が押下された赤外線信号を受信したときにタイマー２２が時間の計測を開始する。これにより、本体１では、タイマー２２で計測された時間により、リモコン２で状態切換ボタン１０４が連続して押下されたか否かを確認することができる。
【００６８】
このとき、図５のフローチャートによる動作を行うとき、ＳＴＥＰ１６での動作の後に、図６のフローチャートにおけるＳＴＥＰ２１による動作を行い、ＳＴＥＰ１８及びＳＴＥＰ１９の動作の後に、図６のフローチャートにおけるＳＴＥＰ２２による動作を行うことで、実現することができる。
【実施例４】
【００６９】
本実施例においては、実施例３と異なり、複数の状態切換テーブルを備え、初めて状態切換ボタンを指定されたときに再生されているソースの種類によって、使用される状態切換テーブルが変更される。以下では、本例でのソースの切換動作について、実施例３と同様、リモコン２において、本体で再生を行うために切り換えるソースの指定を行うものとして、図７に示すフローチャートを参照して説明する。尚、図７に示すフローチャートにおける動作ステップにおいて、図６に示すフローチャートにおける動作ステップと同一のものについては、同一の符号を付して、その詳細な説明は省略する。
【００７０】
本実施例では、再生するソースの切り換える順序を示す第１及び第２状態切換テーブルＴ１，Ｔ２が、リモコン２のメモリ２０６に記憶される。そして、第１状態切換テーブルＴ１では、実施例４と同様、再生するソースの切り換える順序が、（１）外部入力端子１８ａからの外部入力１→（２）外部入力端子１８ｂからの外部入力２→（３）外部入力端子１８ｃからの外部入力３→（４）外部入力端子１８ｄからの外部入力４→（５）チューナ１１ａによる地上波アナログ放送→（６）チューナ１１ｂによる地上波デジタル放送→（７）チューナ１１ｃによるＢＳ放送→（８）チューナ１１ｄによるＣＳ放送とされるものとする。
【００７１】
又、第２状態切換テーブルＴ２では、第１状態切換テーブルＴ１と異なり、再生するソースの切り換える順序が、（１）チューナ１１ａによる地上波アナログ放送→（２）チューナ１１ｂによる地上波デジタル放送→（３）チューナ１１ｃによるＢＳ放送→（４）チューナ１１ｄによるＣＳ放送→（５）外部入力端子１８ａからの外部入力１→（５）外部入力端子１８ｂからの外部入力２→（７）外部入力端子１８ｃからの外部入力３→（８）外部入力端子１８ｄからの外部入力４とされるものとする。
【００７２】
本実施例では、実施例３と同様、本体１を電源ＯＮとして、本体１の動作状態をメモリ２０６に記憶した後（ＳＴＥＰ１〜ＳＴＥＰ３）、状態切換ボタン１０４が押下されたことを確認すると（ＳＴＥＰ４でＹｅｓ）、本体１が現在再生しているソースを確認した後、前回に状態切換ボタン１０４が押下されてからの時間が、制限時間内であるか否かが確認される（ＳＴＥＰ５，ＳＴＥＰ２１）。そして、前回に状態切換ボタン１０４が押下されてからの時間が、制限時間を超えたとき（ＳＴＥＰ２１でＮｏ）、本体１が放送信号の受信動作を行っているか否かを判定する（ＳＴＥＰ６）。
【００７３】
このとき、本体１が放送信号の受信動作を行っていることを確認すると（ＳＴＥＰ６でＹｅｓ）、状態切換ボタン１０４を押下したときに参照される状態切換テーブルを、第１状態切換テーブルＴ１に指定する（ＳＴＥＰ２３）。又、本体１が外部入力１〜４のソースによる再生動作を行っていることを確認すると（ＳＴＥＰ６でＮｏ）、状態切換ボタン１０４を押下したときに参照される状態切換テーブルを、第２状態切換テーブルＴ２に指定する（ＳＴＥＰ２４）。
【００７４】
ＳＴＥＰ２３及びＳＴＥＰ２４で参照する状態切換テーブルの指定が行われると、指定されたメモリ２０６の状態切換テーブルを確認し、その順位が１番目となるソースによる再生動作を指示するための赤外線信号を、赤外線通信部２０２で生成して、本体１に送信する（ＳＴＥＰ７）。即ち、第１状態切換テーブルＴ１が指定されたときは、本体１では、入力セレクタ１９によって、外部入力端子１８ａからの画像及び音声信号が画像処理部１３及び音声出力部１４に与えられるように、動作設定が行われる。又、第２状態切換テーブルＴ２が指定されたときは、本体１では、チューナ１１ａで受信された放送信号による画像及び音声信号が画像処理部１３及び音声出力部１４に与えられるように、動作設定が行われる。
【００７５】
又、前回に状態切換ボタン１０４が押下されてからの時間が、制限時間以内となる場合は（ＳＴＥＰ２１でＹｅｓ）、ＳＴＥＰ８に移行して、ＳＴＥＰ２３及びＳＴＥＰ２４で指定された状態切換テーブルに基づいて、現在再生されているソースの次の順位となるソースを確認し、確認したソースによる再生動作を指示するための赤外線信号を、本体１に送信する。そして、ＳＴＥＰ７又はＳＴＥＰ８における再生するソースの切換動作を指示する赤外線信号が送信されると、タイマー２０３を初期化するとともに、タイマー２０３での時間計測を開始した後（ＳＴＥＰ２２）、ＳＴＥＰ２に移行する。
【００７６】
このように、本実施例によると、制限時間を超えてから状態切換ボタン１０４が押下されたときに、本体１が放送信号の受信動作を行っている場合は、外部入力に切り替わる一方、本体１が外部入力動作を行っている場合は、放送信号の受信動作に切り替わる。又、実施例３と同様、状態切換ボタン１０４を連続して押下することで、指定された状態切換テーブルより確認されるソースに切り換えることができる。
【００７７】
更に、実施例２と同様、本体１で切り換えるソースを確認するものとするとき、本実施例における第１及び第２状態切換テーブルＴ１，Ｔ２が、本体１のメモリ２４に記憶される。このとき、実施例３と同様、ＳＴＥＰ２１による動作を行い、制限時間内で状態切換ボタン１０４が押下されたことを確認されたときに、ＳＴＥＰ１９に移行する。一方、状態切換ボタン１０４が前回に押下されてから制限時間以上となる場合は、ＳＴＥＰ１７において確認されたソースに基づいて、図７のフローチャートのＳＴＥＰ２３及びＳＴＥＰ２４のようにして状態切換テーブルを指定した後、ＳＴＥＰ１８に移行する。
【実施例５】
【００７８】
本実施例は、実施例１と異なり、上述の状態切換テーブルだけでなく、ユーザーによって設定される固有リストテーブルを備える。以下では、本例でのソースの切換動作について、実施例１と同様、リモコン２において、本体で再生を行うために切り換えるソースの指定を行うものとして、図９に示すフローチャートを参照して説明する。尚、図９に示すフローチャートにおける動作ステップにおいて、図４に示すフローチャートにおける動作ステップと同一のものについては、同一の符号を付して、その詳細な説明は省略する。
【００７９】
本実施例において、実施例１と同様、リモコン２のメモリ２０６に記録される状態切換テーブルで指定されるソースの切換順序が、（１）外部入力端子１８ａからの外部入力１→（２）外部入力端子１８ｂからの外部入力２→（３）外部入力端子１８ｃからの外部入力３→（４）外部入力端子１８ｄからの外部入力４とされるものとする。又、本実施例では、この状態切換テーブルＴ３以外に、ユーザーが選択するソースとその切換順序を設定した固有リストテーブルが、リモコン２のメモリ２０６に記憶される。
【００８０】
このメモリ２０６に記憶される固有リストテーブルの設定について、簡単に説明する。リモコン２の矢印ボタン１０６や決定ボタン１０７を操作することで、固有リストテーブルの内容変更を行うメニューを、本体１の画像表示部１６上にＧＵＩで表示させる。この画像表示部１６上における固有リストテーブルの内容変更用メニューのＧＵＩ表示の例を、図８に示す。
【００８１】
図８に示すＧＵＩ表示が成されると、ソースの切換順序が、リスト１、リスト２、リスト３、・・・として表示される。そして、設定されたソースが、その切換順序（リスト）に対応するように表示されるとともに、ソースを設定する切換順序（リスト）が指定されると、ソースを選択するためのウィンドウ１５０が表示される。このようにして、ウィンドウ１５０が表示されると、ウィンドウ１５０内に表示されたソースをポインタによって指定し、ユーザーの所望するソースを決定する。このように設定する固有リストテーブルに対して、そのソースが、外部入力１〜４だけでなく、各放送信号からも選択できるようにしても構わない。
【００８２】
このようにして固有リストテーブルが設定されるとき、設定された固有リストテーブルが本体１のメモリ２４に一時的に記憶された後、赤外線通信部２０より赤外線信号としてリモコン２に送信されることで、リモコン２のメモリ２０６に記憶されるものとしても構わない。又、図８に示すＧＵＩ表示による設定と同時に、固有リストテーブルにおけるソースが設定された切換順序（リスト）がメモリ２０６に順に記憶され、設定動作が終了すると同時に、設定された固有リストテーブル自体がメモリ２０６に記憶されるものとしても構わない。
【００８３】
次に、本実施例における、リモコン２の状態切換ボタン１０４が押下される際の各動作について説明する。本実施例では、図９のフローチャートに示すように、実施例１と同様、本体１を電源ＯＮとして、本体１の動作状態をメモリ２０６に記憶した後、状態切換ボタン１０４が押下されたことを確認する（ＳＴＥＰ１〜ＳＴＥＰ４）。そして、状態切換ボタン１０４の押下が確認されると（ＳＴＥＰ４でＹｅｓ）、本体１が現在再生しているソースを確認した後（ＳＴＥＰ５）、本実施例では、メモリ２０６に固有リストテーブルを記憶しているか否かの確認が成される（ＳＴＥＰ２５）。
【００８４】
このとき、設定された固有リストテーブルを記憶していることが確認されると（ＳＴＥＰ２５でＹｅｓ）、ＳＴＥＰ５で確認した本体１が現在再生しているソースについて、メモリ２０６における固有リストテーブル内に記憶されているか否かが判定される（ＳＴＥＰ２６）。一方、固有リストテーブルが設定されていない場合（ＳＴＥＰ２５でＮｏ）、実施例１と同様、メモリ２０６の状態切換テーブルを参照して、ＳＴＥＰ６〜ＳＴＥＰ８の動作を行い、本体１の動作状態の切換を指示する。
【００８５】
又、ＳＴＥＰ２６において、現在再生しているソースが固有リストテーブル内に記憶されていない場合は（Ｎｏ）、メモリ２０６の固有リストテーブルを確認し、その順位が１番目となるソースによる再生動作を指示するための赤外線信号を、赤外線通信部２０２で生成して、本体１に送信する（ＳＴＥＰ２７）。一方、現在再生しているソースが固有リストテーブル内に記憶されている場合は（ＳＴＥＰ２６でＹｅｓ）、メモリ２０６の固有リストテーブルを確認し、現在再生されているソースの次の順位となるソースによる再生動作を指示するための赤外線信号を、赤外線通信部２０２で生成して、本体１に送信する（ＳＴＥＰ２８）。
【００８６】
そして、ＳＴＥＰ７、ＳＴＥＰ８、ＳＴＥＰ２７、及びＳＴＥＰ２８のようにして、本体１に赤外線信号を送信すると、この赤外線信号を赤外線通信部２０で受信する本体１において、指定されたソースの再生を行うように、その動作状態が切り換えられる。その後、本体１では、切り換えた後のソースを含む現在の動作状態をメモリ２４に記憶するとともに、この動作状態を示す赤外線信号を赤外線通信部２０で生成して、リモコン２に送信する。よって、実施例１と同様、この本体１からの赤外線信号を赤外線通信部２０２で受信して、本体１が再生しているソースを認識し、現在の動作状態としてメモリ２０６に記憶する（ＳＴＥＰ２，ＳＴＥＰ３）。
【００８７】
このように動作することで、本実施例では、実施例１と異なり、ユーザーによって設定される固有リストテーブルを用いて、本体１で再生するソースの切換を行うことができるため、例えば、電子機器３と接続されていないため、選択不要となる外部入力を省略することができる。又、本実施例においても、リモコン２で切り換えるソースを確認して、本体１に指定するものとしたが、実施例２と同様、本体１で切り換えるソースを確認するものとしても構わない。
【００８８】
そして、実施例２と同様、本体１で切り換えるソースを確認するものとするとき、本実施例における状態切換テーブルが、本体１のメモリ２４に記憶されるとともに、画像表示部１６のＧＵＩ表示を用いて設定された固有リストテーブルについても、メモリ２４に記憶される。そして、本体１において、リモコン２の状態切換ボタン１０４が押下されて赤外線信号が送信される度に、本体１では、ＳＴＥＰ５〜ＳＴＥＰ８及びＳＴＥＰ２５〜ＳＴＥＰ２９における各動作と同様の判定動作を行うことで、状態切換テーブル又は固有リストテーブルを参照して、再生するソースを切り換える。
【００８９】
又、本実施例において、実施例３のように、図６のフローチャートにおけるＳＴＥＰ２１及びＳＴＥＰ２２を追加することで、リモコン２で状態切換ボタン１０４が連続して押下されたか否かを確認することができるようにし、連続して押下された場合は、指定された状態切換テーブル又は固有リストテーブルにおける次の順位となるソースに切り換えられるものとしても構わない。更に、実施例４のように、複数の状態切換テーブルの代わりに、複数の固有リストテーブルが設定され、本体１で再生しているソースの種類によって、固有リストテーブルが切り換えられるものとしても構わない。
【００９０】
尚、上述の各実施例では、外部入力が４入力の場合を例に挙げて説明したが、外部入力数については、４入力に限定されるものではなく、複数の入力であれば良い。又、放送信号の再生については、リモコン２の放送指定ボタン１０３ａ〜１０３ｄによって指定可能としたが、外部入力についても、例えば、ボタン１０１の数字に各外部入力を割り当てるものとしても構わない。このとき、割り当てられたボタン１０１を長押しするなど、通常と異なる操作を行うことで、所望の外部入力を直接指定するようにすることができる。
【産業上の利用可能性】
【００９１】
本発明は、テレビジョン装置、ＶＣＲレコーダー、ＤＶＤレコーダー、ＨＤＤレコーダー、チューナ装置などの、チューナ部分と外部入力部分とを備えた放送信号受信装置に対して適用可能である。
【図面の簡単な説明】
【００９２】
【図１】は、本発明の放送信号受信装置の接続関係を示すブロック図である。
【図２】は、図１における放送信号受信装置の本体の内部構成を示すブロック図である。
【図３】は、図１における放送信号受信装置のリモコンの内部構成を示すブロック図である。
【図４】は、実施例１における放送信号受信装置のリモコンの動作状態を示すフローチャートである。
【図５】は、実施例２における放送信号受信装置の本体の動作状態を示すフローチャートである。
【図６】は、実施例３における放送信号受信装置のリモコンの動作状態を示すフローチャートである。
【図７】は、実施例４における放送信号受信装置のリモコンの動作状態を示すフローチャートである。
【図８】は、実施例５における放送信号受信装置において固有リストテーブルを設定するためのＧＵＩ表示を示す図である。
【図９】は、実施例５における放送信号受信装置のリモコンの動作状態を示すフローチャートである。
【図１０】は、放送信号受信装置のリモコンの外観を示す概略図である。
【符号の説明】
【００９３】
１    放送信号受信装置の本体
２    リモコン
３    電子機器
１１ａ〜１１ｄ    チューナ
１２    デコーダ
１３    画像処理部
１４    音声出力部
１５    スケーラー部
１６    画像表示部
１７    スピーカ部
１８ａ〜１８ｄ    外部入力端子
１９    入力セレクタ
２０    赤外線通信部
２１    操作部
２２    タイマー
２３    ＣＰＵ
２４    メモリ
２５    バス回線
１０１，１０２    ボタン
１０３ａ〜１０３ｄ    放送指定ボタン
１０４    状態切換ボタン
１０５    電源ボタン
１０６    矢印ボタン
１０７    決定ボタン
２０１    操作部
２０２    赤外線通信部
２０３    タイマー
２０４    画像表示部
２０５    ＣＰＵ
２０６    メモリ
２０７    バス回線
【図１】
0005020005.tif 000002
【図２】
0005020005.tif 000003
【図３】
0005020005.tif 000004
【図４】
0005020005.tif 000005
【図５】
0005020005.tif 000006
【図６】
0005020005.tif 000007
【図７】
0005020005.tif 000008
【図８】
0005020005.tif 000009
【図９】
0005020005.tif 000010
【図１０】
0005020005.tif 000011